(57)【要約】【課題】吊り荷が落下するのをより確実に防ぐ外れ止め付きフック、及び、吊り具押え部材を提供する。【解決手段】鉤状のフック本体３と、フック本体３の根元側部分とフック先端部３ａとの間に配置され、根元側部分に回転可能に取り付けられ、弾性部材８ａ、８ｂの付勢力によってフック先端部３ａの内側に押し当てられた外れ止め５と、外れ止め５に取り付けられ、フック本体３の先端側部分の周囲で、フック本体３に引っ掛けられる吊り具２がフック先端部３ａ側に移動するのを妨げる吊り具押え部材６と、を有するものとする。【選択図】図１
2015212185.tif 000002
【特許請求の範囲】
【請求項１】
鉤状のフック本体と、
前記フック本体の根元側部分とフック先端部との間に配置され、前記根元側部分に回転可能に取り付けられ、弾性部材の付勢力によって前記フック先端部の内側に押し当てられた外れ止めと、
前記外れ止めに取り付けられ、前記フック本体の先端側部分の周囲で、前記フック本体に引っ掛けられる吊り具が前記フック先端部側に移動するのを妨げる吊り具押え部材と、を有することを特徴とする外れ止め付きフック。
【請求項２】
前記吊り具押え部材は、長方形状の板状をしており、前記フック先端部を通す開口部を有することを特徴とする請求項１に記載の外れ止め付きフック。
【請求項３】
前記吊り具押え部材は、前記外れ止め側に突出した一対の突出部を有し、該一対の突出部と前記外れ止めとがネジ止めされていることを特徴とする請求項１又は２に記載の外れ止め付きフック。
【請求項４】
前記吊り具押え部材は、前記外れ止めの下部に取り付けられていることを特徴とする請求項１ないし３のいずれか一項に記載の外れ止め付きフック。
【請求項５】
鉤状のフック本体と、該フック本体の根元側部分とフック先端部との間に配置され、前記根元側部分に回転可能に取り付けられ、弾性部材の付勢力によって前記フック先端部の内側に押し当てられた外れ止めと、を有する外れ止め付きフックに用いられ、
前記外れ止めに取り付けられ、前記フック本体の先端側部分の周囲で、前記フック本体に引っ掛けられる吊り具が前記フック先端部側に移動するのを妨げる吊り具押え部材。
【請求項６】
長方形状の板状をしており、前記フック先端部を通す開口部を有することを特徴とする請求項５に記載の吊り具押え部材。
【請求項７】
前記外れ止めにネジ止めされる一対の突出部を有することを特徴とする請求項５又は６に記載の吊り具押え部材。
【請求項８】
前記外れ止めの下部に取り付けられることを特徴とする請求項５ないし７のいずれか一項に記載の吊り具押え部材。
【発明の詳細な説明】
【技術分野】
【０００１】
本発明は、ホイスト、スプリングバランサーなどの懸垂装置に用いられる外れ止め付きフック、及び、当該外れ止め付きフックに用いられる吊り具押え部材に関する。
【背景技術】
【０００２】
従来、ホイスト、スプリングバランサーなどの懸垂装置のワイヤやチェーンの先端に取り付けられ、吊り荷を引っ掛けるフック本体と、吊り荷が当該フックから外れるのを防ぐ外れ止めと、を有する外れ止め付きフックがある。
【０００３】
外れ止めは、例えば、ラッチなどと呼ばれ、フック本体の根元側部分に回転可能に取り付けられ、バネの付勢力によってフック先端部の内側に押し当てられるものがある。このような外れ止めによれば、アイボルトやナスカン等の吊り具をフック先端部を通し、外れ止めの上部からフック本体の内側に向けて力を加えることで、容易にフックに引っ掛けることが可能であり、また、吊り具が使用者の意に反して外れるのを防ぐことができる。
【０００４】
しかし、このような外れ止め付きフックにおいては、例えば、吊り荷が床面に達してホイストのチェーンにかかる張力が緩むなどした際に、アイボルトやナスカン等の吊り具が回転し、外れ止めとフック先端部との間に乗り上げてしまうことがある。この状態でチェーンを巻き上げると、吊り荷の重さによって外れ止めを押し下げ、吊り具がフックから外れてしまうことがある。また、吊り具が乗り上げた状態でチェーンを巻き上げると、吊り荷の重さによって、外れ止めを回転方向に対して傾斜した方向に変形させ、破損させてしまうことがある。これらの現象は、知恵の輪現象などと呼ばれる。
【０００５】
このような知恵の輪現象を防ぐため、特許文献１では、フック本体に玉掛けワイヤを引っ掛けた後に、開口部が形成された板状部材を、当該開口部からフック本体を通してフック先端部と玉掛けワイヤの間に介在させることで、玉掛けワイヤが外れ止めの上に乗り上げるのを防ぐこととしている。
【０００６】
また、特許文献２においては、外れ止めに加えて、フック本体の根元側部分に回転可能に取り付けられ、フック先端に上方から当接する外れ防止具を設け、ロープが外れ止めに乗り上げようとしたときに、ロープが外れ防止具の上を滑ってフック本体の外へ落ちるようにしている。
【先行技術文献】
【特許文献】
【０００７】
【特許文献１】特開２００９−２３４６９６号公報
【特許文献２】特開２００１−２５３６７９号公報
【発明の概要】
【発明が解決しようとする課題】
【０００８】
しかしながら、特許文献１に記載の発明においては、吊り荷の上げ下げの際などに、板状部材が動いてしまい、外れ止めやアイボルトなどの吊り具に衝突して破損させるおそれがあり、破損に気づかずに作業を続けてしまえば、吊り荷の落下につながるおそれがある。
【０００９】
また、特許文献２に記載の発明においては、アイボルトなどの吊り具が外れ防止具を押し上げ、外れ止めに乗り上げてしまうおそれがあるため、知恵の輪現象を確実に防ぐことはできず、やはり吊り荷の落下につながるおそれがある。
【００１０】
このような問題に鑑みて、本発明は、吊り荷が落下するのをより確実に防ぐ外れ止め付きフック、及び、吊り具押え部材を提供することを目的とする。
【課題を解決するための手段】
【００１１】
上記課題を解決するために本発明では、
鉤状のフック本体と、
前記フック本体の根元側部分とフック先端部との間に配置され、前記根元側部分に回転可能に取り付けられ、弾性部材の付勢力によって前記フック先端部の内側に押し当てられた外れ止めと、
前記外れ止めに取り付けられ、前記フック本体の先端側部分の周囲で、前記フック本体に引っ掛けられる吊り具が前記フック先端部側に移動するのを妨げる吊り具押え部材と、を有することを特徴とする外れ止め付きフックを提供する。
【００１２】
好ましくは、前記吊り具押え部材は、長方形状の板状をしており、前記フック先端部を通す開口部を有する。
【００１３】
また、好ましくは、前記吊り具押え部材は、前記外れ止め側に突出した一対の突出部を有し、該一対の突出部と前記外れ止めとがネジ止めされている。
【００１４】
また、好ましくは、前記吊り具押え部材は、前記外れ止めの下部に取り付けられている。
【００１５】
また、上記課題を解決するために本発明では、
鉤状のフック本体と、該フック本体の根元側部分とフック先端部との間に配置され、前記根元側部分に回転可能に取り付けられ、弾性部材の付勢力によって前記フック先端部の内側に押し当てられた外れ止めと、を有する外れ止め付きフックに用いられ、
前記外れ止めに取り付けられ、前記フック本体の先端側部分の周囲で、前記フック本体に引っ掛けられる吊り具が前記フック先端部側に移動するのを妨げる吊り具押え部材を提供する。
【００１６】
好ましくは、長方形状の板状をしており、前記フック先端部を通す開口部を有する。
【００１７】
また、好ましくは、前記外れ止めにネジ止めされる一対の突出部を有する。
【００１８】
また、好ましくは、前記外れ止めの下部に取り付けられる。
【発明の効果】
【００１９】
本発明によれば、吊り荷が落下するのをより確実に防ぐ外れ止め付きフック、及び、吊り具押え部材を提供することができる。
【図面の簡単な説明】
【００２０】
【図１】本願の第１実施形態に係る外れ止め付きフックとアイボルトを示す斜視図である。
【図２】本願の第１実施形態に係る外れ止め付きフックとアイボルトを別の角度から見た斜視図である。
【図３】本願の第１実施形態に係る外れ止め付きフックを示す斜視図である。
【図４】本願の第１実施形態に係る外れ止め付きフックから吊り具押え部材を外した状態を示す側面図である。
【図５】本願の第１実施形態に係る外れ止め付きフックから吊り具押え部材を外した状態を示す斜視図である。
【図６】本願の第１実施形態に係る外れ止め付きフックの吊り具押え部材を示す斜視図である。
【図７】本願の第１実施形態に係る外れ止め付きフックの吊り具押え部材を別の角度から見た斜視図である。
【図８】本願の第２実施形態に係る外れ止め付きフックを示す斜視図である。
【発明を実施するための形態】
【００２１】
（第１実施形態）
本願の第１実施形態に係る外れ止め付きフックを図１ないし図７を参照しつつ説明する。図１は、本第１実施形態に係る外れ止め付きフック１００とアイボルト２とを示す斜視図である。図２は、本第１実施形態に係る外れ止め付きフック１００とアイボルト２とを別の角度から見た斜視図である。図３は、本第１実施形態に係る外れ止め付きフック１００を更に別の角度から見た斜視図である。
【００２２】
図１に示すように、外れ止め付きフック１００は、吊り具を介在させるなどして吊り荷を吊る鉤状のフック本体３と、フック本体３の根元側端部に取り付けられ、チェーンやワイヤなどの不図示の紐状部材とフック本体３とを相対回転可能に連結するスイベル４と、フック本体３の根元側部分とフック先端部３ａとの間に配置され、フック本体３の根元側部分に取り付けられた外れ止め５と、外れ止め５に取り付けられ、フック先端部３ａの周囲を囲む吊り具押え部材６とを主要な構成要素としている。
【００２３】
外れ止め５は、金属の板材からコの字状に成形された部材であり、外れ止め５に形成された貫通孔と、フック本体３の根元側部分からフック先端部３ａ側に突出した突部３ｂに形成された貫通孔とを通したボルト７によって、フック本体３に回転可能に取り付けられている。外れ止め５は、突部３ｂの両側で、それぞれ、ボルト７の軸部に外嵌したバネ８ａ、８ｂによって、ボルト７を中心としてフック先端部３ａ側に回転するように付勢され、フック先端部３ａに押し合てられている。
【００２４】
吊り具押え部材６は、長方形状の板状をしており、外れ止め５に形成された貫通孔５ａ（図４参照）に通されたネジ９と不図示のナットとによって外れ止め５に取り付けられている。吊り具押え部材６には開口部６ａが形成されており、フック先端部３ａが開口部６ａに通されている。
【００２５】
吊り具押え部材６は、アイボルト２の円環部２ａがフック先端部３ａを超えて外れ止め５とフック先端部３ａとの間に乗り上げるのを防ぐ。すなわち、吊り具押え部材６は、アイボルト２の円環部２ａの内側を通り抜けない寸法を有しており、アイボルト２が回転するなどして円環部２ａがフック先端部３ａ側に移動しようとするときに、円環部２ａに当接して、円環部２ａが外れ止め５とフック先端部３ａとの間に乗り上げるのを防ぐ。
【００２６】
吊り具押え部材６は、外れ止め５に対して相対移動不能、又は、僅かな移動のみが可能に取り付けられている。そのため、押え部材６は、アイボルト２や外れ止め５に衝突して破損させ、又は、衝突により破損するおそれもない。また、吊り具押え部材６に対して、吊り具押え部材６を跳ね上げようとする力がかかった場合、フック先端部３ａが外れ止め５を回転させないように対抗し、外れ止め５が吊り具押え部材６を回転させないように対抗することから、吊り具押え部材６が跳ね上がってアイボルト２の円環部２ａが外れ止め５とフック先端部３ａとの間に乗り上げることもない。
【００２７】
図４は、本第１実施形態に係る外れ止め付きフック１００から吊り具押え部材６を外した状態を示す側面図である。図４に示すように、外れ止め５には、図面の奥行き方向に貫通した貫通孔５ａが形成されている。
【００２８】
貫通孔５ａは、上述のネジ９を通して外れ止め５に吊り具押え部材６を取り付けるためのものであるが、吊り荷が軽い場合には、アイボルト２などの吊り具にフック本体３を引っ掛けた後、吊り具押え部材６を取り付けずに、貫通孔５ａにネジ９を通して、不図示のナットと螺合しても良い。これにより、吊り具が外れ止め５とフック先端部３ａの間に乗り上げたとしても、ネジ９がフック本体３に当接して外れ止め５が回転するのを防ぐことができる。
【００２９】
図５は、本第１実施形態に係る外れ止め付きフック１００から吊り具押え部材６を外した状態を示す斜視図である。図５に示すように、外れ止め５の内側は空洞になっており、外れ止め５をバネ８ａ、８ｂの付勢力に抗して回転させたときに、フック本体３の三方を囲むように形成されている。
【００３０】
図６は、本第１実施形態に係る外れ止め付きフック１００の吊り具押え部材６を示す斜視図である。図６は、図１と同じ角度から吊り具押え部材６を見た状態を示している。また、図７は、本第１実施形態に係る外れ止め付きフック１００の吊り具押え部材６を別の角度から見た斜視図である。図７は、図３と同じ角度から吊り具押え部材６を見た状態を示している。
【００３１】
吊り具押え部材６は、長方形状の板状をした本体板部６ｂと、本体板部６ｂに形成された開口部６ａと、フック本体３の根元側部分の近くに配置される本体板部６ｂの部分の上部から上方へ突出した一対の突出部６ｃ、６ｄとを有している。
【００３２】
一対の突出部６ｃ、６ｄは、外れ止め５の空洞となった内側に配置される。一対の突出部６ｃ、６ｄには、それぞれ、外れ止め５の貫通孔５ａとともにネジ９が通される貫通孔６ｅ、６ｆが形成されている。
【００３３】
本体板部６ｂは、突出部６ｃ、６ｄが配置された部分において、突出部６ｃ、６ｄの突出側とは反対側に僅かに反った形状をしている。この反った部分は、外れ止め５との干渉を回避しながら、吊り具押え部材６がネジ９を中心として下向きに回転しようとするときに、外れ止め５に当接して、当該回転を防ぐ。なお、吊り具押え部材６がネジ９を中心として上向きに回転しようとするときは、本体板部６が、フック先端部３ａ側の外れ止め５の下部に当接して、当該回転が防がれる。
【００３４】
開口部６ａの位置および寸法、本体板部６ｂの長手方向および短手方向の寸法、並びに、突出部６ｃ、６ｄの位置および寸法は、フック本体３の寸法およびアイボルト２などの吊り具の円環部２ａの寸法などに応じて設定する。
【００３５】
吊り具押え部材６の取り付けは、次のように行う。即ち、フック本体３をアイボルト２などの吊り具の円環部２ａに引っ掛けた後、外れ止め５をバネ８ａ、８ｂの付勢力に抗して回転させ、吊り具押え部材６の突出部６ｃ、６ｄ側をフック本体３の内側に入れながら、開口部６ａにフック先端部３ａを通し、外れ止め５をバネ８ａ、８ｂの弾性回復によって元の位置に戻した後、吊り具押え部材６を所定の位置に配置し、ネジ９を貫通孔５ａ、６ｅ、６ｆに通して不図示のナットに螺合する。
【００３６】
以上の吊り具押え部材６の構成によれば、吊り具押え部材６を既存のフックに対しても簡単に取り付けることができ、知恵の輪現象を確実に防ぐことができる。
【００３７】
（第２実施形態）
次に、本願の第２実施形態に係る外れ止め付きフック２００を図８とともに説明する。本第２実施形態に係る外れ止め付きフック２００は、上記第１実施形態に係る外れ止め付きフック１００と類似することから、上記第１実施形態と共通の部分の説明は省略する。
【００３８】
本第２実施形態に係るフック２００は、スイベルを有さず、チェーンやワイヤなどの紐状部材と連結する環状部２０３ｃがフック本体２０３の一部として一体的に形成されている。
【００３９】
また、フック本体２０３が板状に形成され、板厚方向の寸法が第１実施形態に係るフック本体３よりも小さい。また、これに合わせて、外れ止め２０５の幅も小さくなっている。  
【００４０】
しかしながら、吊り具押え部材２０６は、第１実施形態に係る吊り具押え部材６と同一である。吊り具押え部材２０６は、第１実施形態において説明した通り、外れ止め２０５に取り付けるための部分を一対の突出部２０６ｃ、２０６ｄ（２０６ｃは不図示）としているため、外れ止め２０５が一対の突出部２０６ｃ、２０６ｄの内側又は外側に嵌めることができる寸法のものであれば、同一のものを利用することができる。本第２実施形態では、外れ止め２０５が一対の突出部２０６ｃ、２０６ｄの内側に嵌まる例を示している。
【００４１】
以上の本第２実施形態に係るフック２００によれば、上記第１実施形態と同様に、吊り具押え部材２０６を外れ止め２０５に簡単に取り付けることができ、吊り具押え部材２０６によって知恵の輪現象の発生を防ぎ、吊り荷が落下するのを確実に防ぐことができる。
【００４２】
以上、本願発明を説明するために具体的な実施形態を挙げて説明したが、本願発明はこれらの実施形態に限定されるものではなく、種々の変更、改良が可能である。
【００４３】
例えば、吊り具押え部材６の本体板部６ｂは、長方形状の板状である必要はなく、吊り具の円環部２ａが通り抜けるのを防ぐあらゆる形状を採用することができる。
【００４４】
また、吊り具押え部材６は、あらゆる方法によって外れ止め５、２０５に取り付けることが可能であり、例えば、ネジ９ではなく、割りピンによって取り付けることもできる。吊り具押え部材６を取り付ける位置についても、上記実施形態のような外れ止め５、２０５の下部に限られず、側部に取り付けることも可能である。
【００４５】
また、吊り具押え部材６、２０６に形成された一対の突出部６ｃ、６ｄ、２０６ｃ、２０６ｄは、例えば、第１実施形態のように、一対の突出部６ｃ、６ｄの外側に配置されるような外れ止め５にのみ取り付けられるのであれば、二つの部分に分けて形成する必要はなく、貫通孔６ｅ、６ｆの貫通方向に幅が広い一つの突出部としてもよい。
【００４６】
また、吊り具押え部材６に形成された開口部６ａの代わりに、端部が開放された開放溝部を形成してもよい。
【００４７】
以上のように、本発明によれば、吊り荷が落下するのをより確実に防ぐ外れ止め付きフック、及び、吊り具押え部材を提供することができる。
【符号の説明】
【００４８】
２      アイボルト
２ａ    円環部
３、２０３      フック本体
３ａ、２０３ａ  フック先端部
４      スイベル
５、２０５  外れ止め
５ａ    貫通孔
６、２０６      吊り具押え部材
６ａ    開口部
６ｂ    本体板部
６ｃ、６ｄ、２０６ｄ  突出部
６ｅ、６ｆ  貫通孔
７      ボルト
８ａ、８ｂ  バネ
９、２０９  ネジ
１００、２００  外れ止め付きフック
２０３ｃ  環状部
【図１】
2015212185.tif 000003
【図２】
2015212185.tif 000004
【図３】
2015212185.tif 000005
【図４】
2015212185.tif 000006
【図５】
2015212185.tif 000007
【図６】
2015212185.tif 000008
【図７】
2015212185.tif 000009
【図８】
2015212185.tif 000010